(57)【要約】      （修正有）【課題】ミキサー出口ガイド溝装置を提供する。【解決手段】固定座とガイド溝３が設けられ、該固定座に通し穴があり、その前縁に円槽があり、該円槽の下に切り穴があり、両側にそれぞれカーブ状のサイドスタンドがあり、該両サイドスタンドの前縁に間隔を開けるための突出リブが設けられ、該ガイド溝はシャベル状であり、その受ける表面に嵌込み体３１があり、後縁の上の両側にそれぞれスリーブがあり、スリーブの前には外に突き伸ばす突止バーが設けられ、これらの固定座を、ミキサー１の研磨座４の出口４１両側に設けられた柱体のところに固定させ、ガイド溝を、スリーブで固定座の円槽に止めるようにし、スリーブを使って円槽で行われる回転及び突止バーでサイドスタンドの突出リブを突き止めることにより、ガイド溝の嵌込み体は、出口に嵌めて閉鎖が形成され、又は出口から離れて、ジュース液がガイド溝から流れてくる。【選択図】図２
0003131701.tif 000002
【実用新案登録請求の範囲】
【請求項１】
二つの固定座が設けられており、それぞれ垂直な通し穴があり、その前縁に円槽があり、前記円槽の下に滑り槽につながるための切り穴が設けられ，  両側にそれぞれカーブ状のサイドスタンドが設けられ、前記の両サイドスタンドの前縁に間隔を開けるための突出リブが設けられ、
ガイド溝が設けられており、シャベル状となり、その受ける表面に嵌込み体があり、後縁の上の両側にそれぞれラウンドバー状のスリーブが設けられ、そして、スリーブの前には外に突き伸ばす枠状の突止バーが設けられ、
ミキサーの研磨座は、その出口の両側にそれぞれ定位置枠が設けられ、定位置枠の中にねじ穴の柱体が設けられる一方、
前記の部品を組み合わせることにより、前記の二つの固定座を、それぞれ研磨座の柱体に固定させ、ガイド溝を、スリーブで固定座の円槽に止めるようにし、それで、前記ガイド溝を、スリーブによって円槽に沿いながら上下に回し、かつ、突止バーでサイドスタンドの突出リブを突き止めることにより、前記ガイド溝に設けられた嵌込み体は研磨座の出口に嵌めて閉鎖が形成され、又は出口から離れて、ジュース液がガイド溝から流れるようにすることを特徴とする、ミキサー出口ガイド溝装置。
【請求項２】
前記ガイド溝の後縁の上の両側に設けられたスリーブは、ラウンドバー状に設けられ、固定座の円槽に止めることを図るため、その前端が扁平部に設けられることを特徴とする、請求項１に記載のミキサー出口ガイド溝装置。
【請求項３】
前記ガイド溝の受ける表面に設けられた嵌込み体は、シリコンなどの柔らかい材質から作られたものであることを特徴とする、請求項１に記載のミキサー出口ガイド溝装置。
【考案の詳細な説明】
【技術分野】
【０００１】
本考案はミキサー出口ガイド溝装置に係り、特に使いやすく、操作しやすく、かつ、ミキサーの実用性を高めるためのミキサー出口ガイド溝装置に関する。    
【背景技術】
【０００２】
従来のミキサー出口の設計は、図１に示すように、ミキサー１の研磨座１１に垂直な管状の出口１２が設けられ、研磨後のジュース液を前記出口１２から流すようにして、ユーザは出口１２の下に受取用の容器を置かなければならないが、容器内のジュース液がいっぱいになり、もう一つの容器で受け取るようにする場合、前記出口１２からのジュース液が絶え間なく流れており、周りを汚して、掃除に迷惑をかけるため、それは理想な物ではない。考案者は、それを見て、当該業務に携わる長年の経験を持ち、ずっと研究、実験を重ね、改良して、ミキサーをより使いやすく、使用中の衛生、清潔さを保つものを提供することである。  
【考案の開示】
【考案が解決しようとする課題】
【０００３】
本考案の目的は、ミキサーのジュース液をより便利に受け取り、ミキサーの実用性を高めるための使いやすさを特徴とするミキサー出口ガイド溝装置を提供することである。  
【課題を解決するための手段】
【０００４】
本考案に関わるミキサー出口ガイド溝装置は、二つの固定座と一つのガイド溝を備えているが、前記固定座に通し穴があり、その前縁に円槽があり、前記円槽の下に切り穴があり、両側にそれぞれカーブ状のサイドスタンドがあり、前記両サイドスタンドの前縁に間隔を開けるための突出リブが設けられており、また、前記ガイド溝はシャベル状であり、その受ける表面に嵌込み体があり、後縁の上の両側にそれぞれスリーブがあり、それに、スリーブの前には外に突き伸ばす突止バーが設けられており、これらの固定座を、ミキサーの研磨座の出口両側に設けられた柱体のところに固定させ、ガイド溝を、スリーブで固定座の円槽に止めるようにし、スリーブを使って円槽で行われる回転、及び突止バーでサイドスタンドの突出リブを突き止めることにより、ガイド溝の嵌込み体は、出口に嵌めて閉鎖が形成され、又は出口から離れて、ジュース液がガイド溝から流れてくるようになる。  
【０００５】
前記のミキサー出口ガイド溝装置において、前記ガイド溝の後縁の両側に設けられたスリーブがラウンドバー状となり、固定座の円槽に嵌めこむことを図るために、その前端には扁平部を設ける。
【考案を実施するための最良の形態】
【０００６】
図２、図３と図４を参照するように、本考案は主に二つの固定座２と一つのガイド溝３が設けられており、前記の  二つの固定座２に垂直な通し穴２１があり、その前縁に円槽２２があり、前記円槽２２の下に滑り槽２３につながるための切り穴が設けられ、両側にそれぞれカーブ状のサイドスタンド２４が設けられ、前記の両サイドスタンド２４の前縁に間隔を開けるための突出リブ２５、２６が設けられている。
【０００７】
前記ガイド溝３はシャベル状であり、その受ける表面にシリコン等の材質からなる柔らかい嵌込み体３１があり、後縁の上の両側にそれぞれラウンドバー状のスリーブ３２が設けられ、スリーブ３２の前端が扁平部３３に設けられ、そして、スリーブ３２の前には外に突き伸ばす枠状の突止バー３４が設けられている。
ミキサー１の研磨座４は、その出口４１の両側にそれぞれ定位置枠４２が設けられ、定位置枠４２の中にねじ穴の柱体４３が設けられている。
【０００８】
前記の部品を組み合わせることにより、前記の二つの固定座２を、それぞれ通し穴２１で研磨座４の柱体４３を通すように設けて  ねじ５で止めた後、さらにガイド溝３を、スリーブ３２で固定座２の円槽２２に止めるようにし、スリーブ３２の前端は扁平部３３に設けられるため、その扁平部３３により滑り槽２３に沿って円槽２２の中に滑り込ることができ、ミキサー１全体を組み合わせた後、前記ガイド溝３はスリーブ３２によって円槽２２に沿いながら上下に回し、かつ、突止バー３４でサイドスタンド２４の突出リブ２５、２６を突き止めることにより、前記ガイド溝３に設けられた嵌込み体３１は、研磨座４の出口４１に嵌めて閉鎖が形成され、又は出口４１から離れて、ジュース液がガイド溝３から流れるようになり、ミキサー１がより使いやすくなる。  
【０００９】
図２と図５を参照するように、本考案の使用中に、ミキサー１の出口４１を閉める場合、  そのガイド溝３を上にあげ、突止バー３４を突出リブ２５を滑らして、前記突出リブ２５によって止めるようにし、それにより、前記ガイド溝３が水平状となり、設けられた嵌込み体３１が研磨座４の出口４１に嵌められるため、出口４１が閉められ、ジュース液が出口４１から流れていくのを止めることができる。  
【００１０】
図６と図７を参考するように、本考案の使用中に、ミキサー１の出口４１を開ける場合、そのガイド溝３を下にさげ、突止バー３４を突出リブ２５を滑らして、もう一つの突出リブ２６により止めるようにし、それにより、前記ガイド溝３が斜め状となり、設けられた嵌込み体３１が研磨座４の出口４１から離れるため、出口４１が開けられ、ジュース液出口４１から流れてくる。
【００１１】
上述をまとめると、本考案は円槽が設けられた固定座があり、それに、スリーブを持つガイド溝が設けられ、ミキサー出口ガイド溝装置が形成され、ミキサーのジュース液の受け取りがより便利で、  かつミキサーの実用性を高めるための使いやすさを有する実用な設計であり、オリジナルな考案であり、規定により実用新案登録出願を行った。  
【図面の簡単な説明】
【００１２】
【図１】従来のミキサーの立体図である。
【図２】本考案の立体図である。
【図３】本考案の立体の分解図である。
【図４】本考案のガイド溝及び固定座の組み合わせの立体図である。
【図５】本考案の閉める動作の実施図である。
【図６】本考案の開ける動作の実施図である。
【図７】本考案の開ける実施例の立体図である。
【符号の説明】
【００１３】
１        ミキサー
２        固定座
３        ガイド溝
４        研磨座
５        ねじ
１１    研磨座
１２    出口
２１    通し穴
２２    円槽
２３    滑り槽
２４    サイドスタンド
２５    突出リブ
２６    突出リブ
３１    嵌込み体
３２    スリーブ
３３    扁平部
３４    突止バー
４１    出口
４２    定位置枠
４３    柱体
【図１】
0003131701.tif 000003
【図２】
0003131701.tif 000004
【図３】
0003131701.tif 000005
【図４】
0003131701.tif 000006
【図５】
0003131701.tif 000007
【図６】
0003131701.tif 000008
【図７】
0003131701.tif 000009